(57)【要約】【課題】接続部の位置が幅方向において片寄った配置となっていても、適切な湾曲を形成可能なフレキシブル配線板等の提供。【解決手段】フレキシブル配線板１００は、可撓性を有し、回路基板４０と表示パネル２１との間を電気的に接続する。フレキシブル配線板１００は、基板接続部７１、パネル接続部７２及び延伸本体部７３を備えている。基板接続部７１は、延伸本体部の幅方向ＷＤにおいて延伸本体部７３の特定側に片寄って設けられており、回路基板４０と接続される。パネル接続部７２は、表示パネル２１と接続される。延伸本体部７３は、基板接続部７１及びパネル接続部７２の一方から他方にシート状に延伸している。延伸本体部７３は、幅方向ＷＤに並ぶ低剛性部６７及び低剛性部６７よりも曲げ剛性の高い高剛性部６６を有している。高剛性部６６は、幅方向ＷＤにおいて低剛性部６７に対し特定側に位置している。【選択図】図１０
2019120883.tif 000002
【特許請求の範囲】
【請求項１】
第一電気構成と第二電気構成との間を電気的に接続し、可撓性を有するフレキシブル配線板であって、
前記第一電気構成と接続される第一接続部（７１）と、
前記第二電気構成と接続される第二接続部（７２）と、
前記第一接続部及び前記第二接続部の一方から他方にシート状に延伸する延伸本体部（７３）と、を備え、
前記第一接続部は、前記延伸本体部の幅方向（ＷＤ）において前記延伸本体部の特定側に片寄って設けられ、
前記延伸本体部は、前記幅方向に並ぶ低剛性部（６７）及び前記低剛性部よりも曲げ剛性の高い高剛性部（６６）を有し、
前記高剛性部は、前記幅方向において、前記低剛性部に対し前記特定側に位置しているフレキシブル配線板。
【請求項２】
前記高剛性部及び前記低剛性部を区分けする境界部（６８）は、前記第一接続部の両縁のうちで中央寄りに位置する一方の縁（７１ｂ）を、前記延伸本体部の延伸方向（ＥＤ）に沿って延長した延長上に位置する請求項１に記載のフレキシブル配線板。
【請求項３】
前記延伸本体部は、回路素子（５９）が設けられた電気回路部（６３）、をさらに有する請求項１又は２に記載のフレキシブル配線板。
【請求項４】
前記高剛性部は、前記電気回路部を挟んで前記第一接続部の反対側に位置し、
前記延伸本体部にて前記電気回路部と前記第一接続部との間に位置する中間領域（６２）の曲げ剛性は、前記高剛性部よりも低い請求項３に記載のフレキシブル配線板。
【請求項５】
前記延伸本体部は、前記電気回路部を被覆する被覆層（５６）を含み、
前記被覆層は、前記高剛性部の剛性を前記低剛性部よりも高くする補強層部（５７）、を有する請求項３又は４に記載のフレキシブル配線板。
【請求項６】
請求項１〜５のいずれか一項に記載のフレキシブル配線板（１００）と、
前記第二電気構成としての表示パネル（２１）と、を備える表示器。
【請求項７】
請求項３〜５のいずれか一項に記載のフレキシブル配線板（１００）と、
前記第一接続部と接続されるコネクタ部（４１）を有する前記第一電気構成としての回路基板（４０）と、
フレキシブル配線板を介して前記回路基板と接続され、前記回路基板に沿う姿勢で配置された前記第二電気構成としての表示パネル（２１）と、を備え、
前記回路基板の厚さ方向において、前記コネクタ部は、前記電気回路部と対面している表示装置。
【発明の詳細な説明】
【技術分野】
【０００１】
この明細書による開示は、可撓性を有するフレキシブル配線板、並びにフレキシブル配線板が用いられる表示器及び表示装置に関する。
【背景技術】
【０００２】
従来、例えば特許文献１に開示のＣＯＦ基板は、ポリイミド等によって帯状に形成された可撓性の基板を主体としている。ＣＯＦ基板の延伸方向の端部には、コネクタ部が設けられている。加えてＣＯＦ基板には、応力集中を緩和するための補強部が、ダミーパターンによって形成されている。
【先行技術文献】
【特許文献】
【０００３】
【特許文献１】特開２００１‐１３５８９６号公報
【発明の概要】
【発明が解決しようとする課題】
【０００４】
特許文献１のコネクタ部は、ＣＯＦ基板の幅方向において、概ね中央に設けられている。故に、コネクタ部を接続した状態下、ＣＯＦ基板を厚さ方向に曲げた場合、ＣＯＦ基板に生じる湾曲の曲率半径は、幅方向において概ね一定となり得る。
【０００５】
しかし、コネクタ部のような接続部が幅方向の一方に片寄って設けられた形態では、曲げ力の大部分は、ＣＯＦ基板のうちで接続部と同じ特定側の範囲に作用してしまう。その結果、曲率半径が幅方向に変化するような適切でない湾曲が、可撓性を有する箇所に形成され易かった。
【０００６】
本開示は、接続部の位置が幅方向において片寄った配置となっていても、適切な湾曲を形成可能なフレキシブル配線板等の提供を目的とする。
【課題を解決するための手段】
【０００７】
上記目的を達成するため、開示された一つの態様は、第一電気構成と第二電気構成との間を電気的に接続し、可撓性を有するフレキシブル配線板であって、第一電気構成と接続される第一接続部（７１）と、第二電気構成と接続される第二接続部（７２）と、第一接続部及び第二接続部の一方から他方にシート状に延伸する延伸本体部（７３）と、を備え、第一接続部は、延伸本体部の幅方向（ＷＤ）において延伸本体部の特定側に片寄って設けられ、延伸本体部は、幅方向に並ぶ低剛性部（６７）及び低剛性部よりも曲げ剛性の高い高剛性部（６６）を有し、高剛性部は、幅方向において、低剛性部に対し特定側に位置しているフレキシブル配線板とされる。
【０００８】
この態様では、接続部及び高剛性部が、共に幅方向の特定側に片寄って位置している。故に、接続部が接続された状態下、延伸本体部が厚さ方向に曲げられると、曲げ力の大部分は、接続部と同じ特定側に位置する高剛性部に作用する。一方で、低剛性部に作用する曲げ力は、小さくなる。
【０００９】
以上のように、強い曲げ力の作用する箇所に高剛性部を設け、弱い曲げ力しか作用しない箇所に低剛性部を設けた構成であれば、高剛性部及び低剛性部が幅方向に並ぶ箇所にて、延伸本体部は、曲率半径が幅方向において概ね維持された湾曲を形成し得る。したがって、接続部の位置が幅方向において片寄った配置となっていても、フレキシブル配線板は、適切な湾曲を形成できる。
【００１０】
尚、上記括弧内の参照番号は、後述する実施形態における具体的な構成との対応関係の一例を示すものにすぎず、技術的範囲を何ら制限するものではない。
【図面の簡単な説明】
【００１１】
【図１】本開示の一実施形態による表示装置の正面図である。
【図２】表示装置の機械的な構成を示す図であって、図１のＩＩ−ＩＩ線断面図である。
【図３】表示装置の電気的な構成を示すブロック図である。
【図４】フレキシブル配線板が曲げられていない状態での液晶表示器の正面図である。
【図５】液晶表示器の側面図であり、図４の液晶表示器を矢印Ｖの方向に見た図である。
【図６】液晶表示器の背面図であり、図５の液晶表示器を矢印ＶＩの方向に見た図である。
【図７】フレキシブル配線板の平面図である。
【図８】フレキシブル配線板の構成を示す図であり、図７のＶＩＩＩ−ＶＩＩＩ線断面図である。
【図９】Ｓ字状に曲げられた組付け状態でのフレキシブル配線板を示す図である。
【図１０】図９のフレキシブル配線板を矢印Ｘの方向に見た図である。
【発明を実施するための形態】
【００１２】
図１に示す本開示の一実施形態による表示装置１０は、車両に搭載されており、車両用のコンビネーションメータとして機能する。表示装置１０は、図１及び図２に示す正面側の表示面１１を運転席へ向けた姿勢にて、インスツルメントパネル等に取り付けられている。表示装置１０は、車両に関する種々の情報を、表示面１１に表示させた画像によってユーザに提示する。表示装置１０は、液晶表示器２０、表示板２５、筐体３０及び回路基板４０等によって構成されている。
【００１３】
液晶表示器２０は、例えばＴＦＴ（Thin Film Transistor）方式の液晶ディスプレイである。液晶表示器２０は、例えば筐体３０の中央に配置されている。液晶表示器２０は、表示パネル２１及びバックライト等を重ね合わせてなり、全体として矩形の平板状に形成されている。以下の説明では、液晶表示器２０の表示面１１が向けられた方向であって、表示面１１に対して実質的に直交する方向を、正面方向ＦＤとする。一方、正面方向ＦＤとは反対の方向を背面方向ＢＤとする。
【００１４】
表示パネル２１には、表示面１１が形成されている。表示面１１には、多数の画素が配列されている。表示パネル２１は、各画素に設けられた赤色、緑色、及び青色等のサブ画素の光の透過率の制御により、表示面１１に種々の画像をカラー表示する。バックライトは、液晶光源及び拡散板を含む構成である。バックライトは、液晶光源から放出された光を拡散板で拡散させつつ、表示パネル２１の背面側に入射させる。バックライトの透過照明により、表示面１１の画像は発光表示される。
【００１５】
表示板２５は、例えばポリカーボネート樹脂等の透光性の樹脂材料によって形成されている。表示板２５の少なくとも一方の面には、半透光性又は遮光性の印刷又は塗装が施されている。表示板２５は、表示パネル２１の正面方向ＦＤに位置し、表示面１１を覆っている。表示面１１に発光表示された画像は、表示板２５を通して視認者から視認可能となる。
【００１６】
筐体３０は、表示装置１０の外観を形成しており、表示装置１０の各構成を収容することで、これらの構成を雰囲気中の塵や埃等から保護している。筐体３０は、フロントパネル３１、見返し部材３２、リヤケース３４及びケース本体３３等によって構成されており、これらを互いに組み付けることによって形成されている。
【００１７】
フロントパネル３１は、アクリル樹脂等の透光性の樹脂材料によって形成されている。フロントパネル３１は、見返し部材３２の正面方向ＦＤに位置し、見返し部材３２に保持されている。見返し部材３２、リヤケース３４及びケース本体３３は、遮光性の樹脂材料によって形成されている。見返し部材３２は、表示面１１の周囲を囲む扁平な筒状に形成されている。見返し部材３２は、ケース本体３３の正面方向ＦＤに位置し、ケース本体３３に保持されている。リヤケース３４は、扁平な有底の容器状に形成されている。リヤケース３４は、ケース本体３３の背面方向ＢＤに位置し、ケース本体３３によって保持されている。ケース本体３３は、矩形の枠状に形成されている。ケース本体３３は、液晶表示器２０及び回路基板４０を保持している。
【００１８】
回路基板４０は、矩形の平板状に形成されている。回路基板４０は、ケース本体３３及びリヤケース３４によって区画された収容空間に収容されている。回路基板４０は、液晶表示器２０に沿う姿勢にて、液晶表示器２０の背面方向ＢＤに位置している。回路基板４０と液晶表示器２０との間には、隙間が形成されている。回路基板４０には、表示制御部４２及び映像出力コネクタ４１が設けられている。
【００１９】
図２及び図３に示す表示制御部４２は、プログラムにより作動するマイクロコントローラ等によって構成されている。表示制御部４２は、車内Local Area Network（ＬＡＮ）８６等の信号線に出力された情報を取得する。表示制御部４２は、車内ＬＡＮ８６等から取得した情報に基づき、情報提示のための映像データを生成する。加えて表示制御部４２は、バックライトの発光輝度を制御する。
【００２０】
映像出力コネクタ４１は、回路基板４０の両面のうちで、正面方向ＦＤを向く一方の実装面に実装されている（図２参照）。映像出力コネクタ４１は、表示制御部４２によって生成された映像データに基づく信号（以下、「映像信号」）を出力可能である。
【００２１】
液晶表示器２０は、図２及び図４〜図７に示すフレキシブル配線板１００をさらに備えている。フレキシブル配線板１００は、可撓性を有する薄板状に形成されており、曲げを生じさせた状態で使用可能である。フレキシブル配線板１００は、映像出力コネクタ４１と接続されており、回路基板４０と表示パネル２１との間を電気的に接続させている。フレキシブル配線板１００は、基板接続部７１、パネル接続部７２及び延伸本体部７３を備えている。
【００２２】
尚、以下の説明では、延伸本体部７３を平面状に維持した状態で、基板接続部７１及びパネル接続部７２の一方から他方へ向かう方向を、フレキシブル配線板１００の延伸方向ＥＤとする。また、延伸本体部７３に沿い、且つ、延伸方向ＥＤに対して実質的に垂直な方向を、フレキシブル配線板１００の幅方向ＷＤとする。
【００２３】
基板接続部７１は、延伸本体部７３の延伸方向ＥＤにおける一方の端部７３ｂと連続している（図５及び図６参照）。基板接続部７１と延伸本体部７３との境界となる端部７３ｂは、幅方向ＷＤに沿った直線状である。基板接続部７１は、映像出力コネクタ４１に挿入され、映像出力コネクタ４１に保持される（図２参照）。基板接続部７１の映像出力コネクタ４１への接続により、液晶表示器２０は、表示制御部４２と電気接続される。
【００２４】
基板接続部７１は、フレキシブル配線板１００の幅方向ＷＤを長手とする矩形形状に形成されている。基板接続部７１は、パネル接続部７２及び延伸本体部７３に対し、幅方向ＷＤの特定側となる一方に片寄って設けられている。基板接続部７１の幅寸法は、パネル接続部７２及び延伸本体部７３の各幅寸法の半分程度とされている。基板接続部７１の両縁７１ａ，７１ｂのうちの一方（縁７１ｂ）は、延伸本体部７３の幅方向ＷＤの中心（図７の中心線ＣＬ参照）と概ね一致する位置に形成されている。一方、基板接続部７１の他方の縁７１ａは、延伸本体部７３の縁７３ａと連続している。
【００２５】
パネル接続部７２は、延伸本体部７３の延伸方向ＥＤにおける他方の端部７３ｃと連続している（図４及び図５参照）。パネル接続部７２と延伸本体部７３との境界となる端部７３ｃは、幅方向ＷＤに沿った直線状である。パネル接続部７２は、幅方向ＷＤに沿って延伸する帯状に形成されており、機械的及び電気的に表示パネル２１と接続されている。パネル接続部７２の幅寸法は、延伸本体部７３の幅寸法と実質同一か又は延伸本体部７３の幅寸法よりも僅かに小さくされている。
【００２６】
延伸本体部７３は、パネル接続部７２から基板接続部７１へとシート状に延伸している。延伸本体部７３は、可撓性を有しており、厚さ方向に弾性変形容易である。延伸本体部７３の一方の縁７３ａは、基板接続部７１及び延伸本体部７３の各一方の縁７１ａ，７２ａと連続している（図７参照）。延伸本体部７３は、基板側湾曲領域６２、回路形成領域６４及びパネル側湾曲領域６５を有している。基板側湾曲領域６２、回路形成領域６４及びパネル側湾曲領域６５は、基板接続部７１からパネル接続部７２へ向けて、この順で形成されている。
【００２７】
基板側湾曲領域６２は、延伸本体部７３のうちで、回路形成領域６４と基板接続部７１との間に位置する領域である。基板側湾曲領域６２では、延伸本体部７３の幅が狭められている。基板側湾曲領域６２の幅寸法は、基板接続部７１の幅寸法に揃えられている。基板側湾曲領域６２の縁６２ｂは、基板接続部７１の縁７１ｂと連続しており、延伸方向ＥＤに沿った直線状に形成されている。基板側湾曲領域６２は、基板接続部７１に入力された映像信号をＴＦＴ制御部６３に伝達する。
【００２８】
回路形成領域６４は、基板側湾曲領域６２及びパネル側湾曲領域６５の間に形成されている。回路形成領域６４の幅は、基板側湾曲領域６２に対して拡大されている。回路形成領域６４と基板側湾曲領域６２との間には、幅方向ＷＤの段差が形成されている。回路形成領域６４には、延伸方向ＥＤに沿った直線状の縁６４ｂと、幅方向ＷＤに沿った直線状の端縁６４ｃとが設けられている。端縁６４ｃは、回路形成領域６４の縁６４ｂと基板側湾曲領域６２の縁６２ｂとを互いに接続させている。
【００２９】
回路形成領域６４には、ＴＦＴ制御部６３が設けられている。ＴＦＴ制御部６３には、後述する複数の回路素子５９が設けられている。ＴＦＴ制御部６３は、映像出力コネクタ４１から出力された映像信号に基づき、表示パネル２１の表示を制御する制御回路である。ＴＦＴ制御部６３は、表示パネル２１の各画素を駆動する駆動信号を生成する。
【００３０】
パネル側湾曲領域６５は、延伸本体部７３のうちで、回路形成領域６４とパネル接続部７２との間に位置する領域である。パネル側湾曲領域６５の幅寸法は、基板側湾曲領域６２の幅寸法よりも大きく、回路形成領域６４の幅寸法と概ね同程度である。延伸方向ＥＤに沿ったパネル側湾曲領域６５の長さ寸法は、基板側湾曲領域６２の長さ寸法よりも僅かに短くされている。パネル側湾曲領域６５は、ＴＦＴ制御部６３にて生成された駆動信号を、表示パネル２１に伝達する。
【００３１】
パネル側湾曲領域６５には、図６及び図７に示す低剛性部６７及び高剛性部６６（二点差線で区切られた範囲参照）が設けられている。延伸本体部７３の厚さ方向において、低剛性部６７の曲げ剛性は、高剛性部６６の曲げ剛性よりも低くされており、基板側湾曲領域６２の曲げ剛性と同程度とされている。換言すれば、高剛性部６６の曲げ剛性は、低剛性部６７の曲げ剛性よりも高くされており、且つ、基板側湾曲領域６２の曲げ剛性よりも高くされている。
【００３２】
低剛性部６７及び高剛性部６６は、幅方向ＷＤに並ぶ配置にて、延伸本体部７３に形成されている。低剛性部６７及び高剛性部６６は、共に幅方向ＷＤを長手とする矩形形状に形成されている。高剛性部６６は、回路形成領域６４と連続している。高剛性部６６は、幅方向ＷＤにおいて、低剛性部６７に対し特定側に位置している。即ち、回路形成領域６４の両縁７３ａ，６４ｂから等距離となるように延伸本体部７３の中心線ＣＬ（図７参照）を規定すると、高剛性部６６及び基板接続部７１は、中心線ＣＬに対して同じ側に片寄って設けられている。高剛性部６６の幅寸法は、基板接続部７１及び基板側湾曲領域６２の各幅寸法と実質同一である。
【００３３】
高剛性部６６及び低剛性部６７は互いに接している。パネル側湾曲領域６５にて、高剛性部６６及び低剛性部６７を区分けする境界線６８は、延伸方向ＥＤに沿う直線状である。境界線６８は、基板接続部７１の縁７１ｂ及び基板側湾曲領域６２の縁６２ｂを延伸方向ＥＤに沿って延長した延長上に位置している。
【００３４】
以上のフレキシブル配線板１００は、図８に示すように、ベースフィルム５１、カバーフィルム５２，５６、導電線５３、補強板５５及び回路素子５９等によって構成されている。ベースフィルム５１は、高い柔軟性を有するポリイミド等の絶縁材料によって形成された膜状の基材である。ベースフィルム５１の厚さは、例えば数十μｍ程度である。
【００３５】
カバーフィルム５２，５６は、ベースフィルム５１と同様に、ポリイミド等によって膜状に形成されている。カバーフィルム５２，５６は、延伸本体部７３において、ベースフィルム５１の両面を覆うようにそれぞれ設けられている。一方のカバーフィルム５２は、基板接続部７１を避けて形成されている。他方のカバーフィルム５６は、基板側湾曲領域６２を避けて形成されている。カバーフィルム５６は、回路形成領域６４において、ＴＦＴ制御部６３の全体を被覆している。カバーフィルム５６は、補強層部５７を有している。
【００３６】
補強層部５７は、回路形成領域６４に位置する矩形形状の本体部から、パネル接続部７２へ向けて延出した部分である。補強層部５７は、高剛性部６６の形状に対応した矩形形状に形成されている。補強層部５７は、パネル側湾曲領域６５のうちで高剛性部６６となる領域に設けられている。パネル側湾曲領域６５のうちの一部のみにカバーフィルム５６が設けられる構成により、補強層部５７は、高剛性部６６の剛性を低剛性部６７（図７参照）よりも高くしている。
【００３７】
導電線５３は、銅箔等の導電材料によって形成された信号線である。多数の導電線５３が、ベースフィルム５１及びカバーフィルム５２の間に設けられている。各導電線５３は、狭幅の帯状に形成されており、幅方向ＷＤに互いに間隔を開けて並べられている。基板接続部７１及び基板側湾曲領域６２に設けられた各導電線５３の一端は、カバーフィルム５２から外部に露出しており、基板接続部７１の電気接続部５４となっている。電気接続部５４は、基板接続部７１の映像出力コネクタ４１（図２参照）への接続により、映像出力コネクタ４１内に設けられた電気接点部に押し当てられる。
【００３８】
補強板５５は、絶縁性を有する樹脂材料等により薄板状に形成されている。補強板５５は、基板接続部７１において、ベースフィルム５１を挟んで電気接続部５４の反対側に設けられている。補強板５５は、基板接続部７１の撓みを防止する部材であり、映像出力コネクタ４１（図２参照）への基板接続部７１の確実な挿入を容易にしている。
【００３９】
回路素子５９は、ＴＦＴ制御部６３に含まれる電気的な構成である。回路素子５９には、表示パネル２１（図２参照）を駆動するための集積回路チップ等の半導体素子、キャパシタ及び抵抗器等の受動素子が含まれている。回路素子５９は、ベースフィルム５１の両面のうちで、電気接続部５４の露出面とは反対側となる実装面に配置されている。回路素子５９は、それぞれ導電線５３と電気的に接続されている。
【００４０】
以上のフレキシブル配線板１００は、図２、図９及び図１０に示すように、回路基板４０と、回路基板４０に沿う姿勢で配置された表示パネル２１との間の隙間に、Ｓ字状に湾曲された状態で収容されている。詳細に説明すると、高剛性部６６と同程度かそれ以上の曲げ剛性を有する回路形成領域６４は、平面形状を維持している。回路形成領域６４は、基板接続部７１の映像出力コネクタ４１への接続により、表示パネル２１及び回路基板４０のそれぞれから離間した状態となる。回路形成領域６４は、表示パネル２１及び回路基板４０に沿った姿勢で配置される。ＴＦＴ制御部６３は、映像出力コネクタ４１の正面方向ＦＤに位置し、回路基板４０の厚さ方向において映像出力コネクタ４１と対面配置されている。
【００４１】
基板側湾曲領域６２及びパネル側湾曲領域６５は、それぞれ曲げられた状態とされている。具体的に、基板側湾曲領域６２は、延伸方向ＥＤに沿った縦断面（図７参照）にて、全体で約１８０°の円弧を描くように湾曲している。一方、パネル側湾曲領域６５も、縦断面にて全体で約１８０°の円弧を描くように湾曲している。パネル側湾曲領域６５のうちでパネル接続部７２に望む部分の湾曲の曲率半径は、高剛性部６６及び低剛性部６７の湾曲の曲率半径よりも小さくなっている。さらに、基板側湾曲領域６２の湾曲の曲率半径は、高剛性部６６及び低剛性部６７の湾曲の曲率半径よりも僅かに大きくなっている。こうした基板側湾曲領域６２及びパネル側湾曲領域６５の湾曲により、ＴＦＴ制御部６３と表示パネル２１及び回路基板４０との間の各クリアランスが維持されている。加えて、基板側湾曲領域６２及びパネル側湾曲領域６５の各曲率半径の違いに起因して、回路形成領域６４は、回路基板４０よりも表示パネル２１に僅かに近接している。
【００４２】
ここまで説明した本実施形態では、高剛性部６６が基板接続部７１と共に幅方向ＷＤの特定側に片寄って位置している。故に、基板接続部７１が映像出力コネクタ４１に接続された状態下、延伸本体部７３が厚さ方向に曲げられると、曲げ力の大部分は、高剛性部６６に作用する。一方で、低剛性部６７に作用する曲げ力は、小さくなる。以上のように、強い曲げ力の作用する箇所に高剛性部６６を設け、弱い曲げ力しか作用しない箇所に低剛性部６７を設けた構成であれば、曲率半径が幅方向ＷＤにおいて概ね維持された（実質一定な）湾曲を、延伸本体部７３は形成し得る。
【００４３】
したがって、基板接続部７１の位置が幅方向において片寄った配置となっていても、フレキシブル配線板１００は、適切な湾曲を形成できる。これにより、極端に曲率半径の小さい鋭角的な折り曲げが基板側湾曲領域６２に生じて、導電線５３（図８参照）の断線が生じ易くなる事態は、回避される。加えて、ＴＦＴ制御部６３が、表示パネル２１及び回路基板４０に対して傾斜した姿勢をとり、車両の振動等によってＴＦＴ制御部６３と表示パネル２１及び回路基板４０とが接触し易くなる事態も、回避される。
【００４４】
また本実施形態では、基板接続部７１の内側の縁７１ｂの延長上に、高剛性部６６及び低剛性部６７を区分けする境界線６８が位置している。こうした位置関係であれば、基板接続部７１に作用する曲げの力は、高剛性部６６の全体に概ね均等に作用し得る。一方で、柔軟な低剛性部６７も、高剛性部６６の側方にて、曲げ応力の分散に寄与している。したがって、パネル側湾曲領域６５に生じる湾曲の曲率半径は、いっそう一定となり易くなる。
【００４５】
さらに本実施形態では、延伸本体部７３にＴＦＴ制御部６３が形成されている。故に、パネル側湾曲領域６５を一定の曲率で湾曲させられれば、ＴＦＴ制御部６３の他の構成への衝突が効果的に抑制されるようになる。故に、基板接続部７１の片寄りに合わせて高剛性部６６及び低剛性部６７を並べる構成は、ＴＦＴ制御部６３が設けられたフレキシブル配線板１００において、ＴＦＴ制御部６３の損傷低減及び異音抑制に特に有効となる。
【００４６】
加えて本実施形態の延伸本体部７３には、ＴＦＴ制御部６３を挟んで高剛性部６６の反対側となる位置に、基板側湾曲領域６２が設けられている。こうした構成であれば、ＴＦＴ制御部６３を表示パネル２１及び回路基板４０の両方から浮かせたようなＳ字状の湾曲が、延伸本体部７３に形成され得る。さらに、高剛性部６６の曲げ剛性を基板側湾曲領域６２の曲げ剛性よりも高く確保されれば、高剛性部６６の鋭角的な折れ曲がりは、生じ難くなる。
【００４７】
また本実施形態では、ＴＦＴ制御部６３を被覆するカバーフィルム５６の一部が補強層部５７としてパネル側湾曲領域６５まで延出し、高剛性部６６を形成している。こうした構成であれば、フレキシブル配線板１００の構成の複雑化を抑えつつ、実質的に均一な湾曲を形成容易にする高剛性部６６を、延伸本体部７３に設けることが可能になる。
【００４８】
さらに本実施形態のようなフレキシブル配線板１００は、表示パネル２１への適用が望ましい。例えば、薄型化が要求される表示装置１０では、表示パネル２１及び回路基板４０等の配置に余裕を設けることが難しい。故に、フレキシブル配線板１００の取り回しも困難になり易い。しかし、本実施形態によるフレキシブル配線板１００は、基板接続部７１の片寄りに合わせた高剛性部６６の形成により、折り返しの湾曲を円滑に形成し得る。故に、フレキシブル配線板１００は、表示装置１０内部の小スペースにおける電気構成同士の接続に、特に好適なのである。
【００４９】
尚、上記実施形態では、液晶表示器２０が「表示器」に相当し、表示パネル２１が「第二電気構成」に相当し、回路基板４０が「第一電気構成」に相当し、映像出力コネクタ４１が「コネクタ部」に相当し、カバーフィルム５６が「被覆層」に相当する。また、基板側湾曲領域６２が「中間領域」に相当し、ＴＦＴ制御部６３が「電気回路部」に相当し、境界線６８「境界部」に相当し、基板接続部７１が「第一接続部」に相当し、パネル接続部７２が「第二接続部」に相当する。
【００５０】
（他の実施形態）
以上、本開示の一実施形態について説明したが、本開示は、上記実施形態に限定して解釈されるものではなく、本開示の要旨を逸脱しない範囲内において種々の実施形態及び組み合わせに適用することができる。
【００５１】
上記実施形態の高剛性部は、パネル側湾曲領域の全幅のうちの一部（半分）にカバーフィルムを設ける構成によって形成されていた。しかし、柔軟な低剛性部に対して高剛性となる高剛性部を設ける手法は、適宜変更可能である。例えば変形例１によるフレキシブル配線板では、高剛性部における導電線の幅方向ＷＤの間隔が、低剛性部における導電線の幅方向ＷＤの間隔よりも狭くされている。また変形例２によるフレキシブル配線板では、高剛性部における導電線の線幅が、低剛性部における導電線の線幅よりも太くされている。さらに変形例３によるフレキシブル配線板では、高剛性部における導電線の厚さが、低剛性部における導電線の厚さよりも太くされている。また加えて、変形例４によるフレキシブル配線板では、高剛性部及び低剛性部のうちで、高剛性部の範囲にのみ、シールが貼り付けられている。シールには、例えばフレキシブル配線板の品番を示す情報が印刷されている。以上のような各変形例１〜４でも、高剛性部を容易に形成することができる。
【００５２】
上記実施形態では、高剛性部及び基板接続部の各幅寸法が互いに実質同一とされていた。しかし、高剛性部及び基板接続部の各幅寸法は、互いに異なっていてもよい。高剛性部の幅寸法は、基板接続部の幅寸法よりも小さくてもよく、又は大きくてもよい。さらに、高剛性部と延伸本体部の縁７３ａ（図７参照）との間に、低剛性部が設けられていてもよい。また、基板接続部の縁７１ａ（図７参照）は、延伸本体部の縁７３ａに対して、幅方向ＷＤの中央寄りにずれていてもよい。
【００５３】
上記実施形態の延伸本体部には、ＴＦＴ制御部が設けられていたが、こうした電気回路部は、設けられていなくてもよい。フレキシブル配線板は、回路基板と表示パネルとを単に電気接続させ、映像信号又は駆動信号を伝送する構成であってもよい。
【００５４】
上記実施形態のフレキシブル配線板は、基板側湾曲領域及びパネル側湾曲領域をそれぞれ異なる向きに湾曲させたＳ字曲げの状態で、表示パネル及び回路基板間のスペースに収容されていた。しかし、フレキシブル配線板に設けられる湾曲領域は、一箇所であってもよい。或いは、三箇所以上の湾曲領域がフレキシブル配線板に設けられていてもよい。
【００５５】
上記実施形態のフレキシブル配線板は、表示パネルと一体的に設けられ、映像出力コネクタと接続される構成であった。しかし、フレキシブル配線板に設けられた接続部分の構成は、適宜変更可能である。例えば、フレキシブル配線板のパネル接続部は、表示パネルに設けられた映像入力コネクタに挿入され、映像入力コネクタに保持される構成であってもよい。
【００５６】
上記実施形態のフレキシブル配線板は、回路基板と表示パネルとを電気接続させていた。しかし、フレキシブル配線板によって接続される電気構成は、適宜変更されてよい。例えば、メイン回路基板とサブ回路基板との電気接続に、上記のようなフレキシブル配線板が用いられてもよい。
【００５７】
上記実施形態では、車両に搭載された表示装置に本開示によるフレキシブル配線板を採用した例を説明した。しかし、上記のフレキシブル配線板を適用可能な電気機器は、車両用の表示装置に限定されない。航空機、船舶及び鉄道車両等の移動体に搭載される電気機器、産業用機械、情報端末及び家電製品等に用いられるフレキシブル配線板にも、接続部の片寄りに合わせて高剛性部を設ける構成は、適用可能である。
【符号の説明】
【００５８】
１０  表示装置、２０  液晶表示器（表示器）、２１  表示パネル（第二電気構成）、４０  回路基板（第一電気構成）、４１  映像出力コネクタ（コネクタ部）、５６  カバーフィルム（被覆層）、５７  補強層部、５９  回路素子、７１ｂ  縁、６２  基板側湾曲領域（中間領域）、６３  ＴＦＴ制御部（電気回路部）、６６  高剛性部、６７  低剛性部、６８  境界線（境界部）、７１  基板接続部（第一接続部）、７２  パネル接続部（第二接続部）、７３  延伸本体部、１００  フレキシブル配線板、ＥＤ  延伸方向、ＷＤ  幅方向
【図１】
2019120883.tif 000003
【図２】
2019120883.tif 000004
【図３】
2019120883.tif 000005
【図４】
2019120883.tif 000006
【図５】
2019120883.tif 000007
【図６】
2019120883.tif 000008
【図７】
2019120883.tif 000009
【図８】
2019120883.tif 000010
【図９】
2019120883.tif 000011
【図１０】
2019120883.tif 000012